(57)【特許請求の範囲】
【請求項１】
他方の交換機から一方の交換機にリンクを確立するためのリンク設定要求コマンドを送信すると、前記一方の交換機が前記他方の交換機に対し一方向の通信路を介して認識応答を送信する交換機システムにおいて前記通信路に発生した障害を検知するための信号障害処理方法であって、
前記他の交換機は、所定数の受信要求コマンドを送信して前記一方の交換機から受信応答を受信しないと更に所定数のリンク設定要求コマンドを送信し、該コマンドに対する前記認識応答を受信しないと前記障害が発生したと判断し、かつ前記一方の交換機が該判断時点から前記所定数の受信要求コマンド及び少なくともその後の最初のリンク設定要求コマンドを送信するために必要な時間が経過した時点で該一方の交換機に前記リンク設定要求コマンドの送信を開始し、
前記一方の交換機は、前記最初のリンク設定要求コマンドを送信した後に、前記他の交換機から前記認識応答に代えて前記リンク設定要求コマンドを受信すると前記障害が発生したと判断し、
その後、前記一方の交換機は、前記他方の交換機からのリンク設定要求コマンドを受けると認識応答を送信し、更に自己側からリンク設定要求コマンドを送信して前記他方の交換機からの認識応答を受けるとリンクを確立する、
ことを特徴とする信号障害処理方法。
【請求項２】
前記交換機システムは、ＩＳＤＮ標準プロトコルに準拠されていることを特徴とする請求項１記載の信号障害処理方法。
【発明の詳細な説明】
【０００１】
【産業上の利用分野】
本発明は、ＩＳＤＮインタフェースを有する交換システムの信号障害処理方法に関するものである。
【０００２】
【従来の技術】
従来、専用線網を用いた通信ネットワークを構成する上で、交換機間の局間信号を通信する方法として、ＩＳＤＮのプロトコルを用いた共通線信号方式がある。この方式では、通信路の障害の発生を以下のようにして検出していた。即ち、フレーム受信可能か否かを問合せるＲＲ(Receive Ready) コマンドに対するＲＲレスポンスがあった場合は正常となる。一方、ＲＲコマンドの送信後、応答待ち時間Ｔ200 経過後にＲＲレスポンスがない場合は、ＲＲコマンドを再送する。そして、再送を所定回数、例えば３回繰り返してもＲＲレスポンスがないときは、リンク設定要求のため、ＳＡＢＭＥ(Set Asynchronous Balanced Mode Extended) コマンドを送信する。更に、このＳＡＢＭＥコマンドに対するＵＡ(Unnumbered Acknowledge)レスポンスが応答待ち時間Ｔ200 経過後にない場合、ＳＡＢＭＥコマンドを再送する。それでもＵＡレスポンスの受信がないときはリンク障害とみなす。この時点でリンク障害が検出される。
【０００３】
【発明が解決しようとする課題】
しかしながら、上述した従来の技術には、次のような課題があった。
即ち、ＳＡＢＭＥコマンドを送信する側の対向局の交換機では、図８に示すように、リンク障害の検出から所定時間経過した後に再度ＳＡＢＭＥコマンドを複数回に亘って送信するが、ＳＡＢＭＥコマンドを受信する側の自局の交換機では、自己がＳＡＢＭＥコマンドを送信する前に対向局の交換機からＳＡＢＭＥコマンドを受信してしまうため、障害を検出するタイミングが得られなかった。
また、障害発生中に自局の交換機が、対向局の交換機からＳＡＢＭＥコマンドを受信すると、ＵＡレスポンスを送信した時点でこのレスポンスがＳＡＢＭＥコマンドを送信した対向局の交換機に届いていないにもかかわらず、障害復旧となってしまった。
【０００４】
【課題を解決するための手段】
本発明の信号障害処理システムは、上述した課題を解決するため、交換機間で相互のデータリンクの設定を行うシステムにおいて、以下の点を特徴とするものである。
（１）本発明は、他方の交換機から一方の交換機にリンクを確立するためのリンク設定要求コマンドを送信すると、前記一方の交換機が前記他方の交換機に対し一方向の通信路を介して認識応答を送信する交換機システムにおいて前記通信路に発生した障害を検知するための信号障害処理方法であって、前記他の交換機は、所定数の受信要求コマンドを送信して前記一方の交換機から受信応答を受信しないと更に所定数のリンク設定要求コマンドを送信し、該コマンドに対する前記認識応答を受信しないと前記障害が発生したと判断し、かつ前記一方の交換機が該判断時点から前記所定数の受信要求コマンド及び少なくともその後の最初のリンク設定要求コマンドを送信するために必要な時間が経過した時点で該一方の交換機に前記リンク設定要求コマンドの送信を開始し、前記一方の交換機は、前記最初のリンク設定要求コマンドを送信した後に、前記他の交換機から前記認識応答に代えて前記リンク設定要求コマンドを受信すると前記障害が発生したと判断し、その後、前記一方の交換機は、前記他方の交換機からのリンク設定要求コマンドを受けると認識応答を送信し、更に自己側からリンク設定要求コマンドを送信して前記他方の交換機からの認識応答を受けるとリンクを確立する、ことを特徴とする。
【０００５】
（２）
（１）において、前記交換機システムは、ＩＳＤＮ標準プロトコルに準拠されていることを特徴とする。
【０００６】
【作用】
（１）
対向局（他の変換機）からデータリンク設定要求があると、自局（一方の変換機）でもそれに対する応答を行った後、設定要求部により対向局に対するデータリンク設定要求を送信する。そして、対向局から応答があった後に、自局でのデータリンク設定を行う。また、自局から対向局への通信路における障害の発生時は、対向局から自局へのコマンドに対し、自局から対向局へのレスポンスが到達しなくなり、所定時間経過後に対向局でリンク障害が検出される。一方、自局から対向局へのコマンドが到達しないため、対向局からのレスポンスがない。このとき、対向局の設定要求部はリンク障害の検知後、所定時間経過後のタイミングでリンク設定要求を送信する。このタイミングは、自局が障害検知へ移行してリンク設定要求コマンドを出力した後に設定される。従って、自局では該コマンドの送信後のレスポンスのタイムアウトが確実に判定でき、この結果、自局でも障害の発生を確実に検出することができる。また、対向局からのリンク設定要求に対し、自局でも対向局に対してリンク設定要求を送信し、対向局からの応答を待ってリンクを設定する結果、通信路の障害が修復していない状態で自局が障害復旧状態となることが防止される。
【０００７】
（２）
（１）において、ＩＳＤＮ標準プロトコル（ＪＴ−Ｑ９２１，Ｑ９３１）に準拠させる結果、本発明に係る交換機と、ＩＳＤＮ標準プロトコルに従い、かつ本発明を適用していない交換機との相互接続を行うことができる。
【０００８】
【実施例】
以下、本発明の実施例を図面を参照して詳細に説明する。
図１は、本発明の信号障害処理システムの一実施例のブロック図である。
図示の装置は、設定要求部１ａ、１ｂ、１ｃ、リンク設定部２ａ、２ｂ、２ｃを備えている。
【０００９】
各設定要求部１ａ、１ｂ、１ｃは、交換機のデータリンク障害の検出後に、障害から回復するため、再びデータリンク設定要求を送信する。この送信タイミングは、データリンクの設定中に通信が中断されている時間を監視するタイマ値に対応した所定のタイミングより遅く設定する。具体的には、ＩＳＤＮのレイヤ２（Ｌ２）で用いるパラメータでは、（Ｔ203 ＋Ｔ200 ×４）秒以上とする。即ち、解放表示検出から解放要求発行までのタイミングＸを（Ｔ203 ＋Ｔ200 ×４）秒以上とする。これにより、図１において、データリンク解放を自局のＰＢＸ（Ａ）で確実に検出することができる。
【００１０】
各リンク設定部２ａ、２ｂ、２ｃは、対向局の交換機の設定要求部１ａ、１ｂ、１ｃから出力されるデータリンク設定要求の受信後に、自局の交換機からのデータリンク設定要求であるＳＡＢＭＥコマンドを出力する。そして、対向局の交換機からの応答であるＵＡレスポンスを確認した後に自局の交換機のデータリンクを設定する。即ち、レイヤ３（Ｌ３）が一度データリンク障害を検出してからリンク障害復旧を検出するのを自局からのデータリンク設定要求に対する対向局からのＵＡレスポンスを受信した場合とする。これにより、自局側は、確実にデータリンク障害を検出することができる。
図１におけるＰＲＩとＭＵＸ間の電気的インタフェースは、図２に示すようないわゆるＴＴＣ２Ｍインタフェース（ＴＴＣ標準ＪＪ−２０．Ｘ）、あるいは図３に示すような一次群速度インタフェース（ＴＴＣ標準ＪＴＩ４３１）である。以下、ＴＴＣ２Ｍインタフェースについて説明する。
【００１１】
図２に示すように、ＰＢＸ（Ａ）−ＭＵＸ間は、３０チャネルのトラフィックチャネルを有する。その３０チャネルのトラフィックチャネルを複数に分割し、方路分割する。この場合、方路分割グループごとに局間信号通信用の信号チャネルを割り当てる。例えば、図１のネットワーク構成の場合であれば、ＰＢＸ（Ａ）から見た場合に、ＰＢＸ（Ｂ）に対する方路に対しては、＃１〜＃５のチャネルを割り当て、そのうち、＃１を局間信号通信用の制御チャネル（以下、Ｄチャネルという）に割り当て、残り＃２〜＃５を当該チャネルに制御されるトラフィックチャネルに割り当てる。そして、ＰＢＸ（Ｃ）に対する方路に対しては、＃６〜＃１１チャネルを割り当て、＃６をＤチャネルに、＃７〜＃１１をトラフィックチャネルに割り当てるような構成が考えられる。
【００１２】
一方、このような構成のネットワークにおいては、ＰＢＸ（Ａ）−ＰＢＸ（Ｂ）の直通ルートがＭＵＸ間の障害等により通信不能状態が発生した場合は、ＰＢＸ（Ａ）はＰＢＸ（Ｂ）への方路に対するルートを閉塞し、ＰＢＸ（Ｃ）ルート経由でＰＢＸ（Ｂ）へ接続する、いわゆる「迂回」が行われる。
ここで、図１に示すような片線断障害が発生した場合の障害検出及び復旧処理が問題になる。
【００１３】
上述のようなＤチャネルを用いた共通線信号方式においては、ＭＵＸ間の伝送路障害による通信不能は、Ｄチャネルのデータリンク状態により、障害復旧検出を判断し、Ｄチャネルのデータリンク断で「障害状態」とし、閉塞処理を行う。一方、データリンク確立で「障害復旧」とし、閉塞解除を行う。
ここで、Ｄチャネルデータリンクプロトコルは、いわゆるＩＳＤＮ標準のＬＡＰＤプロトコル（ＴＴＣ標準ＪＴ−Ｑ９２１）が用いられている。相互接続性を保証するためである。
【００１４】
次に、上述した装置の障害検出時の動作を説明する。
まず、障害の発生状況について説明する。図４に示すように、通信システムの立ち上げ時は、対向局から自局へＳＡＢＭＥコマンドが送信される。これにより、自局では、Ｌ２からデータリンク（ＤＬ）設定表示が上がる。これに対し、自局から対向局へＵＡレスポンスが送信される。これにより、対向局では、ＤＬ設定確認が行われ、リンクが設定される。
【００１５】
一方、自局では、ＤＬ設定表示により直ちにリンク設定を行わず、まず、ＳＡＢＭＥコマンドを対向局へ送信する。そして、対向局から自局へＵＡレスポンスが返送され、自局でＤＬ設定確認が行われた後、リンク設定が行われる。
その後、情報転送の場合は図示しないＩ(Information) フレームが送信される。一方、Ｉフレームが送信されない場合はフレームの受信が可能であることを示すため、図示のようにＲＲコマンド及びＲＲレスポンスの送受信が行われる。
【００１６】
図１において、「Ｘ」の印で示すように、ＰＢＸ（Ａ）からの送信側伝送路ＦＣ１が断になった場合、ＰＢＸ（Ａ）とＭＵＸ（Ａ）の電気的インタフェースＦＣ２、ＦＣ４は障害にならない。このため、ＰＢＸ（Ａ）から見ると、ＰＢＸ（Ａ）とＭＵＸ（Ａ）間のＬ１は正常である。
ＰＢＸ（Ａ）からの送信側伝送路ＦＣ１のみが断になった場合、図４に示すように、ＦＣ３を介して対向局から自局へのＲＲコマンドは到達するが、自局から対向局へのＲＲレスポンスは到達しなくなる。このため、図示のように、対向局からＴ200 （デフォルト値、１秒）後にＲＲコマンドが再送され、これがＮ200 （デフォルト値、３回）繰り返される。
【００１７】
その後、図５に示すように、タイムアウトの後、対向局から自局へＳＡＢＭＥコマンドが送信される。これに対し自局から対向局へＵＡレスポンスを返送するが、回線障害のため、対向局には到達しない。このため、図示のように、対向局からＴ200 秒後にＳＡＢＭＥコマンドが再送され、これがＮ200 回繰り返される。
その後、対向局でタイムアウト（ＴＯ）によりリンク障害が検出される。片線障害によるリンク障害が検出されると、ＰＢＸ（Ｂ）のＬ２はデータリンク障害をＬ３に通知するため、ＰＢＸ（Ｂ）側では当該回線の閉塞処理が行われる。
【００１８】
一方、自局では、Ｔ203 （デフォルト値、１０秒）後に対向局へＲＲコマンドを送信する。ところが、回線障害のため、これは対向局へは到達せず、従って、対向局からＲＲレスポンスは返送されない。この場合、自局はＴ200 秒間隔でＲＲコマンドの再送をＮ200 回繰り返す。その後、Ｔ200 秒後に自局から対向局へＳＡＢＭＥコマンドが送信される。このＳＡＢＭＥコマンドの送信のタイミングは、以上の手順から（Ｔ203 ＋Ｔ200 ×４）（デフォルト値、１４秒）である。
【００１９】
一方、対向局では、リンク障害の検出後、所定のタイミングＸでデータリンク設定要求を出し、ＳＡＢＭＥコマンドを送信する。対向局ＰＢＸ（Ｂ）側から自局ＰＢＸ（Ａ）に対するデータリンク障害検出からデータリンク設定要求のタイミングＸは、ＩＳＤＮ標準には規定されていないが、本発明では、（Ｔ203 ＋Ｔ200 ×４）（デフォルト値、１４秒）以上とされる。
これは以下の理由による。図７及び図８に示すように、このタイミングＸが（Ｔ203 ＋Ｔ200 ×４）秒経過以前であると、ＰＢＸ（Ａ）側では、データリンク解放表示がＬ３に通知される前に、ＰＢＸ（Ｂ）側からのデータリンク設定要求の受信によるＵＡレスポンスの返送でＴ203 タイマが再スタートされる。これにより、片線が完全に切断されているにもかかわらず、自局ではデータリンク障害が検出されなくなってしまう。
【００２０】
この結果、自局ＰＢＸ（Ａ）側の当該回線は閉塞処理が行われず、通信不能であるにもかかわらず、障害状態が検出されず、しかも、Ｌ３（交換機の呼処理プログラム）は当該回線をハントしようとしてしまう。これを防止するため、タイミングＸを（Ｔ203 ＋Ｔ200 ×４）秒経過後とする。これにより、図６に示すように、自局でリンク障害が確実に検出される。そして、ＰＢＸ（Ａ）のＬ２はデータリンク障害をＬ３に通知し、ＰＢＸ（Ａ）側でも当該回線の閉塞処理が行われる。
【００２１】
図６において、自局でのリンク障害中に対向局からのＳＡＢＭＥコマンドを受信すると、Ｌ２はＬ３に対してデータリンク（ＤＬ）設定表示を上げる。この場合、Ｌ３側では、データリンクを復旧させず、この表示を読み捨てる。
その後、ＰＢＸ（Ａ）においても、ＰＢＸ（Ｂ）と同様に、ＤＬ解放表示によるリンク障害の検出から（Ｔ203 ＋Ｔ200 ×４）秒以上経過後にＬ３からＤＬ設定要求が発行され、Ｌ２はＰＢＸ（Ｂ）に対し、ＳＡＢＭＥコマンドを送信する。
【００２２】
この理由は以下である。前述したタイミングＸを、前述のように、（Ｔ203 ＋Ｔ200 ×４）秒経過後とした場合は、ＰＢＸ（Ａ）のＬ２はＬ３に対してデータリンク解放表示を送出し、当該回線は一旦はリンク障害状態となる。
ところが、その後、ＰＢＸ（Ｂ）側からのデータリンク設定要求をＰＢＸ（Ａ）側で受信すると、ＰＢＸ（Ｂ）側にＵＡレスポンスを返送した時点でデータリンク復旧になってしまう。その結果、このような場合では、片線が完全に切断されているにもかかわらず、ＰＢＸ（Ａ）側では当該回線の障害復旧を繰り返してしまう。これを防止するため、自局側からもデータリンク設定要求が送信される。
【００２３】
これに伴ない、通信システムの立ち上げ時も、前述したように、図４に示すＤＬ設定表示及びＳＡＢＭＥコマンドの送信が行われる。
図６に示すＤＬ設定表示後のＳＡＢＭＥコマンドの送信時に、ＭＵＸ間伝送路の片線障害が復旧していない場合、図示の場合と異なり、対向局にはＳＡＢＭＥコマンドは到達しない。このため、自局にはＵＡレスポンスが返送されない。また、自局から対向局へもＵＡレスポンスが送信されない。従って、自局及び対向局ともに障害状態が継続する。
障害状態の間は、自局側では、当該回線を閉塞するとともに、迂回ルートがあれば迂回処理を行う。即ち、図１において、ＰＢＸ（Ｃ）を経由して対向局との通信を行う。
【００２４】
一方、ＭＵＸ間の伝送路障害が復旧すると、図６に示すように、自局からのＳＡＢＭＥコマンドは対向局に到達し、対向局からのＵＡレスポンスの返送を自局のＬ２が受信する。自局のＬ２は、ＤＬ解放確認をＬ３に通知し、この時点で初めてデータリンク設定状態に移行し、自局では当該回線の閉塞を解除し、迂回解除の処理を行う。
【００２５】
このようにして、ＭＵＸ間伝送路の片線障害時に障害が検出できなかったり、あるいは、障害復旧及び検出を繰り返してしまう等の不具合を解消することができ、安全かつ確実に障害回線の閉塞処理及び迂回処理を実行することができる。また、本発明に係る交換機は、ＩＳＤＮ標準プロトコル（ＪＴ−Ｑ９２１，Ｑ９３１）に反するものではないので、ＩＳＤＮ標準プロトコルに従い、かつ本発明を適用していない交換機との相互接続を行うこともできる。
【００２６】
尚、本発明は上述した実施例に限定されるものではなく、種々の変形が可能であることはもちろんである。例えば、ＰＢＸ−ＭＵＸ間がいわゆるＴＴＣ２Ｍ（ＰＢＸ−ＭＵＸ間２ＭインタフェースＴＴＣ  ＪＪ−２０シリーズ）インタフェースに限定されるものではなく、一次群速度インタフェース（ＪＴ−Ｉ４３１）にも適用することができる。その他、本発明は、ＰＢＸ−ＭＵＸ間が多重伝送路で接続され、ＭＵＸから先で方路分割されているようなネットワーク構成において、ＰＢＸ間の制御情報の通信をＤチャネル共通線を用いており、当該方路の伝送路上の障害検出及び復旧をＤチャネル上の信号を用いて実施するすべての場合に適用することができる。
【００２７】
【発明の効果】
以上説明したように、本発明の信号障害処理システムによれば、障害復旧のためのデータリンク設定要求の送信タイミングを適切化し、対向局のみでなく自局でもデータリンク設定要求を送信するようにしたので、次のような効果がある。即ち、対向局の交換機から送信される障害復旧のためのデータリンク設定要求により、自局でのリンク障害の検出動作が妨げられることがなく、自局の交換機で障害を確実に検出することができる。
また、対向局からのデータリンク設定要求に対し、自局から対向局へのデータリンク設定要求により、回線の修復状態を確認することができ、回線が修復していない状態で自局が障害復旧動作を行うことを防止することができる。
【図面の簡単な説明】
【図１】本発明の信号障害処理システムの一実施例のブロック図である。
【図２】フレーム構成の一例の説明図である。
【図３】フレーム構成の他の例の説明図である。
【図４】本発明に係る信号障害処理手順（その１）の説明図である。
【図５】本発明に係る信号障害処理手順（その２）の説明図である。
【図６】本発明に係る信号障害処理手順（その３）の説明図である。
【図７】従来の信号障害処理手順（その１）の説明図である。
【図８】従来の信号障害処理手順（その２）の説明図である。
【符号の説明】
１ａ、１ｂ、１ｃ  設定要求部
２ａ、２ｂ、２ｃ  リンク設定部
【図１】
0003759185.tif 000002
【図２】
0003759185.tif 000003
【図３】
0003759185.tif 000004
【図４】
0003759185.tif 000005
【図５】
0003759185.tif 000006
【図６】
0003759185.tif 000007
【図７】
0003759185.tif 000008
【図８】
0003759185.tif 000009